(57)【特許請求の範囲】
【請求項１】
端末本体と、
この端末本体に内蔵され、その振動を検出する振動検出手段と、
この振動検出手段の検出した振動の強さを所定の１または複数のしきい値と比較してこれらの振動のうちであるしきい値を超えるものを強弱２段階に分けて判別する振動強度判別手段と、
この振動強度判別手段によって強い振動が検出されたとき、その時点から予め定めた特定の時間内に弱い振動以上の振動を検出し、これらの検出のたびにカウント値を“１”ずつ変化させていくカウント開始手段と、
各カウント値と発呼する電話番号を予め対応付けて記憶した電話番号データ格納手段と、
前記特定の時間が経過したときに、そのカウント値に対応した電話番号に発呼する発呼手段
とを具備することを特徴とする携帯端末。
【請求項２】
前記振動検出手段は、端末本体に内蔵され、その加速度の変化を検出する加速度変化検出手段であることを特徴とする請求項１記載の携帯端末。
【請求項３】
カウント値が変化するたびに新たなカウント値に対応した電話番号あるいは相手先を表示するディスプレイを具備することを特徴とする請求項１記載の携帯端末。
【請求項４】
前記加速度変化検出手段によって検出された加速度の変化を２種類以上に分類し、これに応じて１回の加速度の変化が生じたときのカウント値を異ならせることを特徴とする請求項２記載の携帯端末。
【請求項５】
前記端末本体はヒンジ機構を介して開閉自在な構造となっていることを特徴とする請求項１記載の携帯端末。
【請求項６】
カウント値が変化するたびにそれぞれのカウント値に予め対応付けられた色で表示するディスプレイを具備することを特徴とする請求項１記載の携帯端末。
【請求項７】
カウント値が変化するたびにそれぞれのカウント値に予め対応付けられたメロディが出力されるスピーカを具備することを特徴とする請求項１記載の携帯端末。
【発明の詳細な説明】
【０００１】
【発明の属する技術分野】
本発明は携帯端末に係わり、特に通信のための操作または制御を工夫した携帯端末に関する。
【０００２】
【従来の技術】
携帯電話機やＰＤＡ（personal digital assistants：個人向け携帯型情報通信機器）に代表される小型の通信機器が広く使用されるようになっている。これらの携帯端末は通信機能を備えているので、移動先等で通話を行ったり、必要なデータを送受信することができる。
【０００３】
【発明が解決しようとする課題】
ところがこのような携帯端末は、携帯に適する大きさとなっているために、装備されているテンキー等の操作用のキーが小さく、キー操作に困難を伴う場合も多い。特に、夜間や交通機関等で移動中にキー操作を行う場合には、間違った相手先に接続されるといった問題が発生する危険性が大きい。そこで、ダイヤル番号をフルに入力する代わりに、これらの短縮番号を登録しておいて、短縮されたこれらの番号を入力して通信を行うことが通常行われている。しかしながら、短縮番号の入力にも複数の数字等のキーを操作する必要がある。したがって、ダイヤル番号をフルに入力する場合に比べて操作性が若干改良されるものの、操作性が悪いという点に変わりがなかった。
【０００４】
以上、発呼についての作業の問題点を説明したが、操作パネルの小ささから各種操作あるいは制御を行う際にも同様の問題が存在した。
【０００５】
そこで本発明の目的は、各種制御あるいは操作を簡略化した携帯端末を提供することにある。
【０００６】
【課題を解決するための手段】
請求項１記載の発明では、（イ）端末本体と、（ロ）この端末本体に内蔵され、その振動を検出する振動検出手段と、（ハ）この振動検出手段の検出した振動の強さを所定の１または複数のしきい値と比較してこれらの振動のうちであるしきい値を超えるものを強弱２段階に分けて判別する振動強度判別手段と、（ニ）この振動強度判別手段によって強い振動が検出されたとき、その時点から予め定めた特定の時間内に弱い振動以上の振動を検出し、これらの検出のたびにカウント値を“１”ずつ変化させていくカウント開始手段と、（ホ）各カウント値と発呼する電話番号を予め対応付けて記憶した電話番号データ格納手段と、（ヘ）前記した特定の時間が経過したときに、そのカウント値に対応した電話番号に発呼する発呼手段とを携帯端末に具備させる。
【０００７】
すなわち請求項１記載の発明では、端末本体にその振動を検出する振動検出手段を内蔵させ、振動検出手段の検出した振動の強さを所定の１または複数のしきい値と比較してこれらの振動のうちであるしきい値を超えるものを強弱２段階に分けて判別するようにしている。そして、この振動強度判別手段によって強い振動が検出されたとき、その時点から予め定めた特定の時間内に弱い振動以上の振動を検出し、これらの検出のたびにカウント値を“１”ずつ変化させることで、不用意に発呼が行われないようにすると共に、特定の時間が経過したときに、そのカウント値に対応した電話番号に発呼できるようにしている。
【００２５】
【発明の実施の形態】
【００２６】
【実施例】
以下実施例につき本発明を詳細に説明する。
【００２７】
図１は本発明の第１の実施例における携帯端末の一例としての携帯電話機の外観を表わしたものである。この携帯電話機１１はその装置本体１２の表面に通常の携帯電話機と同様に液晶ディスプレイ１３、操作パネル１４、マイクロフォン１５およびスピーカ１６を配置している。また、装置本体１２の内部には加速度センサ１８が配置されている。加速度センサ１８は、市販されている２軸加速度センサであり、図示しない基板に装着した状態で高さが約７ｍｍ、幅および奥行きが１ｃｍ弱のサイズのパッケージとなっている。この加速度センサ１８は２方向の加速度を検出することができ、たとえばエアバック装置に衝突時の加速度を検出するものとして使用されている。本実施例では携帯電話機１１を振ったときの加速度を検出することで、振った回数を検出するために使用されるようになっている。
【００２８】
図２はこの携帯電話機の回路構成の要部を表わしたものである。携帯電話機１１は、各種制御を行うための制御部２１を備えている。制御部２１は図示しないＣＰＵ（中央処理装置）と制御用のプログラムを格納したＲＯＭ（リード・オンリ・メモリ）を備えている。この制御部２１は、各種データを格納するためのＲＡＭ（ランダム・アクセス・メモリ）２２に接続される他、図示しない入出力用のインタフェース回路あるいは駆動制御回路を介して液晶ディスプレイ１３、操作パネル１４、加速度センサ１８、無線部２４、発光ダイオード（ＬＥＤ）２５ならびにスピーカ１６と接続されている。無線部２４は電波の送受信のためのアンテナ２７を配置している。ＲＡＭ２２はその一部または全部を不揮発性メモリで構成している。発光ダイオード２５はディスプレイ１３の表示色を複数通りに変化させるために使用される。
【００２９】
ところで本実施例の携帯電話機１１では、加速度センサ１８が操作者の発信動作のための「振る」動作の回数を検出することにしている。この検出動作を基にして発呼等の制御が行われる。しかしながら、携帯電話機１１は通常の使用状態でも振ったと同様の振動が加えられる場合がある。たとえばバッグに入れて持ち歩くような場合には、バッグを振ることによって携帯電話機１１も振動する。交通機関を利用している場合も同様である。携帯電話機１１の使用状態は各人によって異なる。そこでこの携帯電話機１１には振動検出モードが設けられており、このモードに設定したときに生じる振動のピーク値よりも強い「振れ」が検出されたときに携帯電話機１１が操作のために振られたことが検出されるようになっている。
【００３０】
図３は、振動検出モードでの携帯電話機の制御の様子を表わしたものである。図２に示した制御部２１内のＣＰＵは操作パネル１４の特定のキーとしての「ＦＣＮ」キーが押されたかどうかを監視している（ステップＳ３１）。「ＦＣＮ」キーが押されて（Ｙ）、続いて操作パネル１４の“５”キーが押されたら（ステップＳ３２：Ｙ）、制御部２１は「振れ」の検出のためのしきい値を検出するモードに移行する。“５”以外の数値のキーが押された場合には（ステップＳ３２：Ｎ）、そのキーに割り当てられた他の作業が実行されることになる。
【００３１】
「振れ」の検出のためのしきい値を検出するモードでは、予め設定された時間ｔ1（ここでは時間ｔ1はたとえば２４時間である。）の間、加速度センサ１８の検出した加速度の変動としての振動の最大値を検出する。具体的には加速度の変動が検出されると（ステップＳ３３：Ｙ）、これが初期的に設定された値を越えたときにＲＡＭ２２に格納された加速度の変動としての振動の最大値以上であるかどうかをチェックする（ステップＳ３４）。現在までの最大値を越える場合には（Ｙ）、その検出結果を上書きする（ステップＳ３５）。加速度の変動が検出されても最大値以下であれば（ステップＳ３４：Ｎ）、検出結果の更新は行われない。
【００３２】
このようにして時間ｔ1が経過したら（ステップＳ３６：Ｙ）、それまでの使用態様における加速度センサ１８の検出した加速度の変動としての振動の最大値がＲＡＭ２２の特定の領域に格納されることになる。制御部２１は図３で示した検出制御で検出された最大値に所定の値を加えた値を「振れ」の検出のためのしきい値として設定し、ＲＡＭ２２の不揮発性のメモリ領域に格納する。たとえば、検出された最大値に数パーセントから５０パーセントの値を加えた数値を「振れ」の検出のためのしきい値として格納する。
【００３３】
この後、操作者は図示しない他のモードとしての振り試用モードに設定して実際に携帯電話機１１を振ってみて、どのような振り方をすると「振れ」が検出されるかを体感する。この振り試用モードでは、検出された「振れ」の強さに対応して液晶ディスプレイ１３の背景色が２種類の色のいずれかに一定時間変化する。「振れ」の強さがしきい値として設定された値以下の場合には表示色の変化は生じない。表示色の変化の代わりに、検出結果を音声で表示するようにしてもよい。本実施例ではしきい値を越えた比較的弱い「振れ」を「弱い振れ」と表現し、これよりも強い「振れ」を「強い振れ」と表現することにする。
【００３４】
図４は、本実施例の携帯電話機を使用して発呼のための短縮番号を登録する作業の流れを表わしたものである。図２に示した制御部２１は、操作パネル１４の特定のキーとしてのＦＣＮキーが押されたかどうかを監視している（ステップＳ４１）。ＦＣＮキーが押されて（Ｙ）、続いて操作パネル１４の“１”キーが押されたら（ステップＳ４２：Ｙ）、制御部２１は短縮番号の登録のモードに移行する。このモードでは液晶ディスプレイ１３に既に登録されている短縮番号の一覧が表示される。操作者はこの一覧の中から携帯電話機１１を振って発呼したい番号を選択する。この選択は、一覧で表示された希望の短縮番号を操作パネル１４から数値で入力することによって行う。このような操作は卓上や振動していないような場所で前もって行うことになる。
【００３５】
希望の短縮番号を選択したら、その短縮番号に対する携帯電話機１１を振る回数を設定する（ステップＳ４４）。この設定は操作パネル１４のテンキーを用いて行う。入力した数値をＲＡＭ２２に登録して確定させるには、操作パネル１４の確定キーを押せばよい（ステップＳ４５：Ｙ）。これにより、希望する電話番号と振る回数の対となったデータがＲＡＭ２２に登録されて（ステップＳ４６）、一連の作業が終了する（エンド）。
【００３６】
もちろん、操作者は携帯電話機１１を振らない通常の発信動作で電話をかけることができる。このときにはＲＡＭ２２に予め登録されている短縮番号をテンキーより入力することになる。また、携帯電話機１１によっては、あるいは短縮番号の数値によっては、このような「振れ」の回数を特別に設定することなく、携帯電話機１１を短縮番号に示された数値だけ振ることで電話を掛けることができる。
【００３７】
図５は、この携帯電話機を振ることによる発呼制御の様子を表わしたものである。図２に示した制御部２１は「強い振れ」が検出されたかどうかを監視している（ステップＳ５１）。操作者が携帯電話機１１を強く振って「強い振れ」が検出されると（Ｙ）、発信のためのモードに移行する。制御部２１は液晶ディスプレイ１３に発信動作が開始されることを文字やアイコンで表示する（ステップＳ５２）。音で表示してもよいし、両者を併用してもよい。なお、本実施例では携帯電話機１１を強く振って「強い振れ」が検出されたときに発信のためのモードに移行するが、装置によっては１種類の「振れ」を検出するだけの場合もあり、この場合にはしきい値を越えた「振れ」が検出されたときに直ちに発信のためのモードに移行してもよい。
【００３８】
発信のためのモードに移行したら、制御部２１は所定の時間ｔ2以内に「弱い振れ」以上の振れ、すなわち「弱い振れ」あるいは「強い振れ」が検出されるたびに（ステップＳ５３：Ｙ）、その回数のカウントを“１”ずつカウントアップする（ステップＳ５４）。それと共に、液晶ディスプレイ１３にカウント値を表示する（ステップＳ５５）。
【００３９】
以上の「振れ」の検出動作と表示動作はステップＳ５１で発信のためのモードに移行した時点から時間ｔ2が経過するまで継続して行われる（ステップＳ５６）。すなわち、時間ｔ2以内に携帯電話機１１が振られる回数をもって接続される相手先が決定されることになる。
【００４０】
時間ｔ2が経過したら、確定したカウント値に対応する電話番号または相手先が液晶ディスプレイ１３に表示される（ステップＳ５７）。また、音声やチャイムで携帯電話機１１を振るための時間が終了したことを知らせても良い。無線部２４はこれと共に直ちに確定した電話番号に発呼する動作を開始しても良い。
【００４１】
本実施例の場合には間違った回数振った場合の間違い電話を防止するために前記した時間ｔ2が経過した時点から更にたとえば５秒といった他の時間ｔ3の計時を開始する（ステップＳ５８）。そしてこの間に操作者がダイヤルする電話番号の間違いに気づいたら操作パネル１４の所定のキーを押す等の手法によって短縮番号の入力操作をリセットすることができるようになっている（ステップＳ５９）。キーを押す代わりに、携帯電話機１１を強く１回または２回振るといった動作によっても取り消しができるようにすることも可能である。
【００４２】
このような操作が行われることなく時間ｔ3が更に経過した場合（ステップＳ５８：Ｙ）、制御部２１は確定した電話番号に発呼することになる（ステップＳ６０）。
【００４３】
第１の実施例の第１の変形例
【００４４】
図６は、第１の実施例の第１の変形例における発呼制御の様子を表わしたものである。図５と同一の制御箇所については同一の符号を付しており、これらの説明を適宜省略する。
【００４５】
この第１の変形例で発信のためのモードに移行したら、制御部２１は所定の時間ｔ5以内に「弱い振れ」以上の振れ、すなわち「弱い振れ」あるいは「強い振れ」が検出されるたびに（ステップＳ５３：Ｙ）、その回数のカウントを“１”ずつカウントアップする（ステップＳ５４）。それと共に、液晶ディスプレイ１３にカウント値あるいはカウント値に対応する電話番号や相手先を表示する（ステップＳ６５）。
【００４６】
この変形例の場合には、ステップＳ５１で発信のためのモードに移行した時点からの携帯電話機１１を振るための時間の制限は設けられていない。携帯電話機１１を振るべき回数を忘れてしまったような場合でも１回振るごとに液晶ディスプレイ１３を見て、希望する相手先の電話番号あるいは相手先の情報が表示された時点で振るのを止めればよいからである。
【００４７】
その代わりこの第１の変形例では携帯電話機１１が１回振られるたびに次に振られるまでの時間の経過を監視している（ステップＳ６６）。そして、これが所定の時間ｔ4を越える前に（Ｎ）、再び「弱い振れ」あるいは「強い振れ」が検出されれば（ステップＳ６７：Ｙ）、ステップＳ５４に戻ってカウントアップを行うと共にステップＳ６５で液晶ディスプレイ１３にカウント値あるいはカウント値に対応する電話番号や相手先を表示する。このような「振れ」が再度検出されることなく時間ｔ4を越えると（ステップＳ６６：Ｙ）、最終的に振られた回数に対応する短縮番号の電話番号に発呼することになる（ステップＳ６８）。
【００４８】
また、ステップＳ５１で「強い振れ」を検出して発信のためのモードに移行しても時間ｔ5を越えるまで「弱い振れ」あるいは「強い振れ」を再度検出しなかったような場合には（ステップＳ６９：Ｙ）、何らかのミスで携帯電話機１１が振られたか携帯電話機１１自体が落下したような事態が発生したものとして発信のためのモードを終了する（リターン）。
【００４９】
第１の実施例の第２の変形例
【００５０】
図７は、第１の実施例の第２の変形例における発呼制御の様子を表わしたものである。図５および図６と同一の制御箇所については同一の符号を付しており、これらの説明を適宜省略する。
【００５１】
この第２の変形例で発信のためのモードに移行したら、制御部２１は所定の時間ｔ5以内に「弱い振れ」以上の振れ、すなわち「弱い振れ」あるいは「強い振れ」が検出されるたびに（ステップＳ５３：Ｙ）、その回数のカウントを“１”ずつカウントアップする（ステップＳ５４）。それと共に、液晶ディスプレイ１３はカウント値に対応する表示色となる(ステップＳ７１)。たとえば通常は青色であり、１回振ると赤色になり、２回振ると緑色になり、３回目は黄色に変化するといった具合にカウント値に対応した表示色となる。したがって、操作者は短縮番号に対応させたカウント値の色あるいは短縮番号に直接対応した色を覚えておき、その色になるまで携帯電話機１１を振ればよいことになる。なお、液晶ディスプレイ１３にはそのカウント値に対応した電話番号や相手先を表示してもよい。
【００５２】
この変形例の場合も、ステップＳ５１で発信のためのモードに移行した時点からの携帯電話機１１を振るための時間の制限は設けられていない。携帯電話機１１の表示する色を覚えていれば１回振るごとに液晶ディスプレイ１３を見て、その色になった時点で振るのを止めればよいからである。
【００５３】
第１の実施例の第３の変形例
【００５４】
図８は、第１の実施例の第３の変形例における発呼制御の様子を表わしたものである。図５および図６と同一の制御箇所については同一の符号を付しており、これらの説明を適宜省略する。この第３の変形例では、ステップＳ５４でカウントを行ったら、そのカウント値に対応する音を出力するようにしている（ステップＳ８１）。出力する音は、カウント値の“１”が「ド」の音であり、カウント値の“２”が「レ」の音であるといったように音階を表わすものとなっている。この場合、カウント値の“８”は１オクターブ高い「ド」の音となる。
【００５５】
このような音階を表わす音を出力する代わりに、カウント値に対応した数だけの音をパルス状に出力してもよい。また、次に携帯電話機１１を振り出すまで、カウント値に予め対応させたメロディを出力してもよい。たとえばカウント値の“１”を「一休さん」あるいは「春一番」のメロディに対応させ、“２”を「世界は二人のために」あるいは「いつも二人で」のメロディに対応させ、“３”を「３６５歩のマーチ」あるいは「サンタが町にやってくる」のメロディに対応させ、“４”を「四季の歌」あるいは「風速４０メートル」のメロディに対応させるといった具合である。
【００５６】
第１の実施例の第４の変形例
【００５７】
図９は、第１の実施例の第４の変形例における発呼制御の様子を表わしたものである。この第４の変形例では、特定キーを押下すると（ステップＳ９１：Ｙ）、発信のためのモードに移行する。これ以降は図８と同一の制御なので説明を適宜省略する。特定のキーとはたとえば「ＳＮＤ（送信）」キーである。このように特定のキーを押下することで発呼等の所定のモードに設定され、その後に振動あるいは加速度を検出することで、加速度センサ１８に今までよりも大きな振動あるいは加速度を与えなくても、これらの回数を検出して制御を信頼性よく行うことが可能になる。
【００５８】
第２の実施例
【００５９】
図１０および図１１は本発明の第２の実施例における携帯端末として折り畳み式の携帯電話機の概観を表わしたものである。この携帯電話機１１１はヒンジ機構１１２によって上部装置本体１１３と下部装置本体１１４が開閉自在に配置されている。図１０では上部装置本体１１３と下部装置本体１１４とが開いた状態を表わしており、図１１ではこれらが閉じ合わされた状態を表わしている。
【００６０】
図１０に示すように、上部装置本体１１３における下部装置本体１１４と閉じ合わされる面には、液晶ディスプレイ、有機ＥＬ（electroluminescence）ディスプレイ等からなる表面ディスプレイ１１５が配置されており、その上側には表面スピーカ１１６が配置されている。また、上部装置本体１１３の上部にはアンテナ１１７が配置されこており、一方の側部には振動検出モードへの切り替えを専用に行う振動検出モード切替スイッチ１１８が配置されている。更に、上部装置本体１１３の内部には加速度センサ１２１が配置されている。本実施例では加速度センサ１２１として第１の実施例の加速度センサ１８と同一のものを使用している。下部装置本体１１４は、上部装置本体１１３と閉じ合わされる面に操作パネル１２３とマイクロフォン１２４が配置されている。
【００６１】
また、図１１で明らかなようにこの第２の実施例の携帯電話機１１１は上部装置本体１１３における表面ディスプレイ１１５の配置された面と反対側の面に背面ディスプレイ１３１および背面スピーカ１３２が配置されている。背面ディスプレイ１３１も液晶ディスプレイ、有機ＥＬディスプレイ等から構成されている。
【００６２】
図１２は、この携帯電話機の回路構成の要部を表わしたものである。携帯電話機１１１は、各種制御を行うための制御部１４１を備えている。制御部１４１は図示しないＣＰＵと制御用のプログラムを格納したＲＯＭを備えている。この制御部１４１は、各種データを格納するためのＲＡＭ１４２に接続される他、図示しない入出力用のインタフェース回路あるいは駆動制御回路を介して表面ディスプレイ１１５、背面ディスプレイ１３１、携帯電話機１１１の開閉を検出する開閉検出回路１４３、操作パネル１２３、加速度センサ１２１、無線部１４４、第１および第２の発光ダイオード（ＬＥＤ）１４５、１４６、表面スピーカ１１６ならびに背面スピーカ１３２と接続されている。無線部１４４は電波の送受信のためのアンテナ１１７を配置している。ＲＡＭ１４２はその一部または全部を不揮発性メモリで構成している。第１および第２の発光ダイオード１４５、１４６は、それぞれ表面ディスプレイ１１５または背面ディスプレイ１３１の表示色を複数通りに変化させるために使用される。ただし、表示色の変更を１つのディスプレイでのみ行う場合には変更を行う方にのみ発光ダイオードを使用する。
【００６３】
この第２の実施例の携帯電話機１１１でも、加速度センサ１２１が操作者の発信動作のための「振る」動作の回数を検出することにしている。この検出動作を基にして発呼等の制御が行われる。これについては先の第１の実施例と重複するので、説明を省略する。
【００６４】
図１３は、本実施例における発呼制御の様子を表わしたものである。図１２に示した制御部１４１は、携帯電話機１１１の振動検出モード切替スイッチ１１８が押下されたかを監視している（ステップＳ２０１）。押下状態で携帯電話機１１１は図１０に示したような開いた状態であっても図１１で示したような閉じた状態であってもよい。振動検出モード切替スイッチ１１８の押下が検出されると（Ｙ）、発信のためのモードに移行し、そのモードの開始表示が行われる（ステップＳ２０２）。
【００６５】
この発信動作開始表示は、たとえば制御部１４１が開閉検出回路１４３によって携帯電話機１１１が開いていることを検出している場合には表面ディスプレイ１１５に文字やアイコンでその旨の表示を行い、閉じていることを検出した場合には背面ディスプレイ１３１に同様の表示を行う。表面スピーカまたは背面スピーカ１３２によって音で表示を行ってもよい。また、文字やアイコンの代わりに第１および第２の発光ダイオード１４５、１４６のうちの該当する発光ダイオードで予め定めた色に発光させてもよい。これらの表示を適宜併用することも可能である。
【００６６】
発信のためのモードに移行したら制御部１４１は操作者による振動検出モード切替スイッチ１１８の開放される時点を監視する（ステップＳ２０３）。すなわち、発信のためのモードへの移行およびこのモードの表示は、操作者が振動検出モード切替スイッチ１１８を継続的に押下している状態で行われる。
【００６７】
振動検出モード切替スイッチ１１８が開放されない状態（押下状態）で（ステップＳ２０３：Ｎ）、制御部１４１が加速度センサ１２１によって、第１の実施例で説明した「弱い振れ」あるいはこれ以上の「強い振れ」を検出したら（ステップＳ２０４：Ｙ）、図示しないカウンタがそのカウント値を“１”だけカウントアップする（ステップＳ２０５）。なお、このカウンタはステップＳ２０２で発信のためのモードに移行した初期状態でその値を“０”に初期化している。そして、現在のカウント値に対応する短縮番号を操作者が現在見ることのできるディスプレイ（表面ディスプレイ１１５あるいは背面ディスプレイ１３１）に表示する（ステップＳ２０６）。なお、短縮番号の登録については第１の実施例の図４で説明したので、その説明は省略する。
【００６８】
操作者が振動検出モード切替スイッチ１１８を押下した状態でこのような「弱い振れ」以上の振れを断続的に複数回繰り返すと、その検出が行われるたびに（ステップＳ２０４：Ｙ）、カウント値が“１”ずつカウントアップされるので、それに対応させて短縮番号の表示が変更されることになる。この第２の実施例では発信のためのモードに移行した時点から加速度センサ１２１が振れの検出動作を終了させるまでの時間制限を設けていない。したがって、どの短縮番号がどのダイヤル番号あるいは宛先に対応するかを忘れているような場合には、携帯電話機１１１を１回振るごとに表面液晶ディスプレイ１１５あるいは背面ディスプレイ１３１を見て、希望する相手先の電話番号あるいは相手先の情報がこれに表示された時点で振るのを止めればよい。
【００６９】
以上のようにして表面液晶ディスプレイ１１５あるいは背面ディスプレイ１３１に所望の宛先に関する情報が表示されたら、操作者はこの時点で振動検出モード切替スイッチ１１８を開放する（ステップＳ２０３：Ｙ）。制御部１４１はこの時点で前記したカウンタのカウント値が“１”以上であるか、すなわち「弱い振れ」以上の振れを今までに１回以上検出したかどうかをチェックする（ステップＳ２０７）。カウント値が“１”以上であれば（Ｙ）、制御部はカウント値に対応する短縮番号の宛先に発呼する（ステップＳ２０８）。これに対して、操作者が誤って振動検出モード切替スイッチ１１８を短時間押下したような場合には、カウント値が“０”のままである。従って、このような場合（ステップＳ２０７：Ｎ）、制御部１４１は発呼のための処理を行うことなく一連の処理を終了させる（エンド）。
【００７０】
第２の実施例の変形例
【００７１】
図１４は、この第２の実施例の発呼制御についての変形例を表わしたものである。この変形例では、図１１に示したように携帯電話機１１１が閉じているとき、図１２に示した制御部１４１が振動検出モード切替スイッチ１１８の押下されるのを監視している（図１４ステップＳ２２１）。操作者による振動検出モード切替スイッチ１１８の押下が検出されると（Ｙ）、発信のためのモードに移行する（ステップＳ２２２）。この場合には携帯電話機１１１が閉じている。そこで制御部１４１は背面ディスプレイ１３１に発信動作が開始されることを文字やアイコンで表示する。音で表示してもよいし、両者を併用してもよい。
【００７２】
発信のためのモードに移行したら、制御部１４１は加速度センサ１２１によって、第２の実施例でも説明した「弱い振れ」あるいはこれ以上の「強い振れ」の発生を監視する（ステップＳ２２３）。この変形例では発信のためのモードに移行してから所定の時間ｔ11が経過するまでにこの「弱い振れ」以上の振れが検出されない場合には（ステップＳ２２４：Ｎ）、発信のためのモードを終了する（エンド）。これは、先の第２の実施例と異なり操作者が振動検出モード切替スイッチ１１８を一瞬でも押すと発信のためのモードに移行するので、間違って振動検出モード切替スイッチ１１８が押された場合に発信動作が行われないようにするためである。
【００７３】
これに対して操作者が発信のために意図的に振動検出モード切替スイッチ１１８を押した場合には、ダイヤルのための短縮番号の入力がそれから余り時間が経過しないときに行われるはずである。そこで、時間ｔ11が経過するまでに「弱い振れ」以上の振れが検出されるかどうかの判別を行うことにしている。なお、この変形例でも第２の実施例の場合と同様に図示しないカウンタが制御部１４１内に設けられており、このカウンタはステップ２２２で発信のためのモードに移行した初期状態でその値を“０”に初期化している。
【００７４】
ステップＳ２２３で「弱い振れ」以上の振れが加速度センサ１２１によって検出されたら（Ｙ）、カウント値が“１”だけカウントアップされる（ステップＳ２２５）。そして、現在のカウント値に対応する短縮番号を背面ディスプレイ１３１に表示する（ステップＳ２２６）。なお、短縮番号の登録については第１の実施例の図４で説明したので、その説明は省略する。
【００７５】
この後、制御部１４１は携帯電話機１１１が閉じた状態から図１０に示した開いた状態に移行したかをチェックする（ステップＳ２２７）。これは、開いた状態に移行したことをもって、この変形例では発呼処理を開始させるようにしているためである。したがって、携帯電話機１１１が図１１に示したような閉じた状態のままであれば（Ｎ）、その後に「弱い振れ」以上の振れが生じるかを検出し（ステップＳ２２８）、検出が行われるたびにカウント値を“１”だけカウントアップする（ステップＳ２２５）。またこれと共に新たなカウント値に対応する短縮番号や宛先等の必要な情報を背面ディスプレイ１３１に表示することになる（ステップＳ２２６）。
【００７６】
なお、この際には先の実施例のステップＳ２０４と同様に加速度センサ１２１が振れの検出動作を終了させるまでの時間制限を設けていない。したがって、どの短縮番号がどのダイヤル番号あるいは宛先に対応するかを忘れているような場合には、携帯電話機１１１を１回振るごとに表面液晶ディスプレイ１１５あるいは背面ディスプレイ１３１を見て、希望する相手先の電話番号あるいは相手先の情報がこれに表示された時点で振るのを止めるといった操作を行うことができる。
【００７７】
このようにして携帯電話機１１１を振って、所望の宛先に対応するカウント値を取得させたら、操作者はこの携帯電話機１１１を図１０に示したように通話のために開くことになる（ステップＳ２２７：Ｙ）。するとこれ以後、加速度センサ１２１の振れの検出動作は行われず、制御部１４１は振られた回数（カウンタのカウント値）に対応する短縮番号の宛先に発呼することになる（ステップＳ２２９）。
【００７８】
なお、以上説明した第１および第２の実施例およびこれらの変形例では発信操作に携帯電話機を振った回数を対応させたが、これ以外の操作または制御に本発明を適用してもよいことは当然である。また、これらの実施例および変形例では「強い振れ」と「弱い振れ」を使い分けて操作を行ったが、ある値以上強くて他の値よりは低い特定範囲の強さの振動あるいは加速度を検出して制御を行うようにしてもよい。これにより、携帯端末を特別に強く振らないでも操作者の意思を装置側に伝達して制御を行わせることができる。
【００７９】
また、第１の実施例およびその変形例では「強い振れ」をモードの設定に使用することで誤動作を防止したが、たとえば「強い振れ」を１回生じさせると、カウント値が“５”または“１０”進むようにすることも可能である。また、加速度の生じる方向に応じて加算や減算を行ったり、カウントアップする数値を違える等の設定を行うことも可能である。これにより、短縮番号だけでなく、電話番号をそのまま入力したり、複雑な操作を入力することも可能になる。
【００８０】
更に第１および第２の実施例では振動あるいは加速度を検出するセンサとして２軸加速度センサを使用したが、１軸加速度センサを使用してもよいし、これら以外のセンサで振動あるいは加速度を検出してもよいことは当然である。
【００８１】
【発明の効果】
以上説明したように本発明によれば、端末本体にその振動を検出する振動検出手段を内蔵させ、振動強度判別手段によって振動を検出し、カウント値を“１”ずつ変化させていくことにしたので、暗い場所や安定しない場所等で携帯端末の制御を信頼性よく行うことができる。
【図面の簡単な説明】
【図１】本発明の第１の実施例における携帯端末の一例としての携帯電話機の外観を表わした斜視図である。
【図２】第１の実施例における携帯電話機の回路構成の要部を表わしたブロック図である。
【図３】第１の実施例における振動検出モードでの携帯電話機の制御の様子を表わした流れ図である。
【図４】第１の実施例の携帯電話機を使用して発呼のための短縮番号を登録する作業の流れを表わした流れ図である。
【図５】第１の実施例で携帯電話機を振ることによる発呼制御の様子を表わした流れ図である。
【図６】第１の実施例の第１の変形例における発呼制御の様子を表わした流れ図である。
【図７】第１の実施例の第２の変形例における発呼制御の様子を表わした流れ図である。
【図８】第１の実施例の第３の変形例における発呼制御の様子を表わした流れ図である。
【図９】第１の実施例の第４の変形例における発呼制御の様子を表わした流れ図である。
【図１０】本発明の第２の実施例における携帯端末の一例としての携帯電話機の開いた状態を示した斜視図である。
【図１１】第２の実施例における携帯端末の閉じた状態を示した斜視図である。
【図１２】第２の実施例における携帯電話機の回路構成の要部を表わしたブロック図である。
【図１３】第２の実施例における発呼制御の様子を表わした流れ図である。
【図１４】第２の実施例の発呼制御についての変形例を表わした流れ図である。
【符号の説明】
１１  携帯電話機
１２  装置本体
１３  液晶ディスプレイ
１４  操作パネル
１６  スピーカ
１８、１２１  加速度センサ
２１、１４１  制御部
２２、１４２  ＲＡＭ
２４、１４４  無線部
２５  発光ダイオード
１１５  表面ディスプレイ
１１６  表面スピーカ
１１８  振動検出モード切替スイッチ
１３１  背面ディスプレイ
１３２  背面スピーカ
１４３  開閉検出回路
１４５  第１の発光ダイオード
１４６  第２の発光ダイオード
【図１】
0003776808.tif 000002
【図２】
0003776808.tif 000003
【図３】
0003776808.tif 000004
【図４】
0003776808.tif 000005
【図５】
0003776808.tif 000006
【図６】
0003776808.tif 000007
【図７】
0003776808.tif 000008
【図８】
0003776808.tif 000009
【図９】
0003776808.tif 000010
【図１０】
0003776808.tif 000011
【図１１】
0003776808.tif 000012
【図１２】
0003776808.tif 000013
【図１３】
0003776808.tif 000014
【図１４】
0003776808.tif 000015